(57)【要約】【課題】ＴＶ等の背面においてぶら下がった状態でも，すっきりと配線する。【解決手段】高周波回路を収納する第１の軸体と，この一端に備えた第１の接続端子と，この周縁に備えた第１の受面と内面側が当接し第１の接続端子を突出する突出孔を有した第１のカバーと，第１の軸体の他端に備えた第２の軸体と，この周縁に備えた第２の受面と内面側が当接し第２の軸体を突出する突出孔を有した第２のカバーと，第１の軸体の外周位置には，同軸ケーブルを引出す複数の引出孔が設けられ，引出孔から第１の軸体の軸線方向と直交方向に同軸ケーブルを介して接続された複数の第２の接続端子とを備え，第１及び第２のカバーには，同軸ケーブルが挿通可能な挿通孔を設け，挿通孔に同軸ケーブルを挿通させ，軸体に同軸ケーブルを巻取り可能に，軸体から引出し可能に，軸体が周方向に回転自在に前記軸体と第１のカバー及び第２のカバーとが枢着される。【選択図】  図４
2005286389.tif 000002
【特許請求の範囲】
【請求項１】
アンテナ共同受信機器において，
高周波回路を収納する空間を有する第１の軸体と，
前記第１の軸体の一端に設けられた第１の接続端子と，
前記第１の軸体の一端にあって，前記第１の接続端子の周縁に設けられた第１の受面と内面側が対向配置され前記第１の接続端子を突出させる突出孔を有した第１のカバーと，
前記軸体の他端に設けた第２の軸体と，
前記第２の軸体の周縁に設けられた第２の受面と内面側が対向配置され前記第２の軸体を突出させる突出孔を有した第２のカバーと，
前記第１の軸体の外周位置には，前記高周波回路と外部とを接続するための同軸ケーブルを引き出す複数の引出孔が設けられ，当該引出孔から前記第１の軸体の軸線方向と直交する方向に同軸ケーブルを介して接続された複数の第２の接続端子と，を備え，
前記第１及び第２のカバーには，前記同軸ケーブルが挿通可能な挿通孔を設け，当該挿通孔に前記同軸ケーブルを挿通させ，上記軸体に前記同軸ケーブルを巻取り可能に及び上記軸体から引出し可能に当該軸体が周方向に回転自在となるよう，前記軸体と，前記第１のカバー及び第２のカバーとが，枢着されたことを特徴としたアンテナ共同受信機器。
【請求項２】
前記軸体の外周位置に形成された同軸ケーブルの引出孔と引出孔の間には，前記同軸ケーブルを前記軸体に巻き取ったときの巻取り寸法と対応する外形寸法よりやや大きく形成された少なくとも１つの隔壁軸体が形成され，当該隔壁軸体は，隔壁軸体の側面間，前記第１の受面と隔壁軸体の側面間及び隔壁軸体の側面と前記第２の受面間の寸法が，前記軸体の軸線方向に，同軸ケーブルの外形よりやや広い間隔で設けたことを特徴とした請求項１に記載のアンテナ共同受信機器。
【請求項３】
前記軸体の外周位置に形成された同軸ケーブルの引出孔と引出孔の間には，前記同軸ケーブルを前記軸体に巻き取ったときの巻取り寸法と対応する外形寸法よりやや大きく形成された少なくとも１つの隔壁軸体が形成され，前記第１の軸体の他端に設けられた第２の軸体は，前記同軸ケーブルを前記軸体に巻き取ったときの巻取り寸法と対応する外形寸法よりやや大きく形成され，前記隔壁軸体の側面間，前記第１の受面と隔壁軸体の側面間及び隔壁軸体の側面と前記第２の軸体の内面側間の寸法が，前記軸体の軸線方向に，同軸ケーブルの外形よりやや広い間隔で設けたことを特徴とした請求項１又は請求項２に記載のアンテナ共同受信機器。
【請求項４】
前記第２の接続端子を構成する同軸ケーブルの長さが，前記同軸ケーブルを前記軸体に巻き取ったときに，前記第２の接続端子の先端部が，前記軸体に被せた第１及び第２のカバーに設けられた同軸ケーブルの挿通孔から，前記第１及び第２のカバーの内面側に入らない長さに形成されてことを特徴とした請求項１乃至請求項３の何れかに記載のアンテナ共同受信機器。
【請求項５】
アンテナ共同受信機器において，
第１の軸体と，当該軸体の一端に設けた第２の軸体と，
第１のカバーと第２のカバーと，
両端に第１の接続端子及び第２の接続端子を備えた同軸ケーブルと，からなり，
前記第１のカバー及び前記第２のカバーは，前記第１の軸体の両端部に，前記軸体が回転自在となるように枢着すると共に，前記第２の軸体が前記第１のカバー若しくは前記第２のカバーから突出するように構成され，
前記同軸ケーブルは，略中央部を前記第１の軸体に固着されると共に，接続端子側を前記第１のカバー若しくは前記第２のカバーの異なる位置に備えた２箇所の挿通孔とを遊挿させるか，
略中央部を前記第１の軸体に固着されると共に，接続端子側を前記第１のカバーと前記第２のカバーの対向する位置に切欠した凹部から形成され，異なる位置に備えた２箇所の挿通口とを遊挿させるか，させて，
上記軸体に前記同軸ケーブルを巻取り可能に及び上記軸体から引出し可能にしたことを特徴としたテレビ共同受信機器。
【請求項６】
前記第１の接続端子及び前記第２の接続端子は何れもＦ型コネクターであることを特徴とした請求項１乃至請求項５の何れかに記載のアンテナ共同受信機器。
【発明の詳細な説明】
【技術分野】
【０００１】
本発明は，主にテレビ受信システムに利用される分配器，分波器及び混合器等に係り，詳しくはコンパクトな大きさで，設置の際に取扱が容易で，スッキリとした配線がしやすい構造に関する。
【背景技術】
【０００２】
従来の，この種の電子機器ケース（以下，単にケースと呼ぶ）においては，同軸ケーブル接続用のＦ型接栓を有する直方体状の本体と，壁面等への取付を可能とした取付脚部を備えたものがあり，この従来例においては，ケースの取付位置に応じて最適の長さに同軸ケーブルを切断し，同軸ケーブルの先端にコネクターを加工して取付けていた。図  は上述の従来例を示し，１はケース，２は本体，３はＦ型接栓，４は取付脚部である。（特許文献１参照）
また，他の従来例として，コネクターが組付け加工された同軸ケーブルがあらかじめ本体に取付けられた形状のもので，ＴＶやＶＴＲ等と接続して，その背面に接地するものがある。
【０００３】
【特許文献１】実開昭６２−９３８６２号公報
【発明の開示】
【発明が解決しようとする課題】
【０００４】
しかし，上述のように，同軸ケーブル接続用のＦ型接栓を有する直方体状の本体と，壁面等への取付を可能とした取付脚部を備えたものは，ＴＶやＶＴＲ等と接続するためには，同軸ケーブルを最適な長さに切断してから，その両端にコネクターを取付けて設置する必要があったので，工事に手間が掛かった。
また，コネクターが組付け加工された同軸ケーブルがあらかじめ本体に取付けられた形状のものは，ＴＶやＶＴＲ等への接続は容易にできるものの，ＴＶやＶＴＲ等の背面においてぶら下がった状態に置かれ，すっきりと配線することができなかった。
そこで本願においては上記従来技術の問題点を解決するためになされたものであり，
その目的は，電子回路を収納するケース構造を提供することにある。
他の目的は，同軸ケーブルを備えたケース構造を提供することにある。
他の目的は，同軸ケーブルを収納可能なケース構造を提供することにある。
他の目的は，同軸ケーブルの長さが調整自在としたケース構造を提供することにある。
他の目的は，コンパクトに収納可能なアンテナ共同受信機器を提供することにある。
他の目的は，取付の容易なアンテナ共同受信機器を提供することにある。
他の目的は，ＴＶやＶＴＲ等の背面にスッキリと配線可能なアンテナ共同受信機器を提供することにある。
他の目的は，同軸ケーブルの巻取り及び引出しが簡単にできるアンテナ共同受信機器を提供することにある。
【課題を解決するための手段】
【０００５】
上記課題を解決するために，請求項１の発明は，アンテナ共同受信機器において，高周波回路を収納する空間を有する第１の軸体と，前記第１の軸体の一端に設けられた第１の接続端子と，前記第１の軸体の一端にあって，前記第１の接続端子の周縁に設けられた第１の受面と内面側が対向配置され前記第１の接続端子を突出させる突出孔を有した第１のカバーと，前記軸体の他端に設けた第２の軸体と，前記第２の軸体の周縁に設けられた第２の受面と内面側が対向配置され前記第２の軸体を突出させる突出孔を有した第２のカバーと，前記第１の軸体の外周位置には，前記高周波回路と外部とを接続するための同軸ケーブルを引き出す複数の引出孔が設けられ，当該引出孔から前記第１の軸体の軸線方向と直交する方向に同軸ケーブルを介して接続された複数の第２の接続端子とを備え，前記第１及び第２のカバーには，前記同軸ケーブルが挿通可能な挿通孔を設け，当該挿通孔に前記同軸ケーブルを挿通させ，上記軸体に前記同軸ケーブルを巻取り可能に及び上記軸体から引出し可能に当該軸体が周方向に回転自在となるよう，前記軸体と，前記第１のカバー及び第２のカバーとが，枢着されるよう構成される。
【０００６】
請求項２の発明は，請求項１のアンテナ共同受信機器において，前記軸体の外周位置に形成された同軸ケーブルの引出孔と引出孔の間には，前記同軸ケーブルを前記軸体に巻き取ったときの巻取り寸法と対応する外形寸法よりやや大きく形成された少なくとも１つの隔壁軸体が形成され，当該隔壁軸体は，隔壁軸体の側面間，前記第１の受面と隔壁軸体の側面間及び隔壁軸体の側面と前記第２の受面間の寸法が，前記軸体の軸線方向に，同軸ケーブルの外形よりやや広い間隔で設けられるよう構成される。
【０００７】
請求項３の発明は，請求項１又は請求項２のアンテナ共同受信機器において，前記軸体の外周位置に形成された同軸ケーブルの引出孔と引出孔の間には，前記同軸ケーブルを前記軸体に巻き取ったときの巻取り寸法と対応する外形寸法よりやや大きく形成された少なくとも１つの隔壁軸体が形成され，前記第１の軸体の他端に設けられた第２の軸体は，前記同軸ケーブルを前記軸体に巻き取ったときの巻取り寸法と対応する外形寸法よりやや大きく形成され，前記隔壁軸体の側面間，前記第１の受面と隔壁軸体の側面間及び隔壁軸体の側面と前記第２の軸体の内面側間の寸法が，前記軸体の軸線方向に，同軸ケーブルの外形よりやや広い間隔で設けるよう構成される。
【０００８】
請求項４の発明は，請求項１乃至３の何れかに記載のアンテナ共同受信機器において，前記出力端子を構成する同軸ケーブルの長さが，前記同軸ケーブルを前記軸体に巻き取ったときに，前記出力端子の先端部が，前記軸体に被せた第１及び第２のカバーに設けられた同軸ケーブルの挿通孔から，前記第１及び第２のカバーの内面側に入らない長さに形成される。
【０００９】
アンテナ共同受信機器において，第１の軸体と，当該軸体の一端に設けた第２の軸体と，第１のカバーと第２のカバーと，両端に第１の接続端子及び第２の接続端子を備えた同軸ケーブルと，からなり，前記第１のカバー及び前記第２のカバーは，前記第１の軸体の両端部に，前記軸体が回転自在となるように枢着すると共に，前記第２の軸体が前記第１のカバー若しくは前記第２のカバーから突出するように構成され，前記同軸ケーブルは，略中央部を前記第１の軸体に固着されると共に，接続端子側を前記第１のカバー若しくは前記第２のカバーの異なる位置に備えた２箇所の挿通孔とを遊挿させるか，略中央部を前記第１の軸体に固着されると共に，接続端子側を前記第１のカバーと前記第２のカバーの対向する位置に切欠した凹部から形成され，異なる位置に備えた２箇所の挿通口とを遊挿させるか，させて，上記軸体に前記同軸ケーブルを巻取り可能に及び上記軸体から引出し可能に構成される。
【００１０】
請求項１乃至請求項５の何れかに記載のアンテナ共同受信機器は，前記第１の接続端子及び前記第２の接続端子は何れもＦ型コネクターであるこように構成される。
【発明の効果】
【００１１】
以上詳述したように，請求項１の発明によれば，アンテナ共同受信機器において，高周波回路を収納する空間を有する第１の軸体と，前記第１の軸体の一端に設けられた第１の接続端子と，前記第１の軸体の一端にあって，前記第１の接続端子の周縁に設けられた第１の受面と内面側が対向配置され前記第１の接続端子を突出させる突出孔を有した第１のカバーと，前記軸体の他端に設けた第２の軸体と，前記第２の軸体の周縁に設けられた第２の受面と内面側が対向配置され前記第２の軸体を突出させる突出孔を有した第２のカバーと，前記第１の軸体の外周位置には，前記高周波回路と外部とを接続するための同軸ケーブルを引き出す複数の引出孔が設けられ，当該引出孔から前記第１の軸体の軸線方向と直交する方向に同軸ケーブルを介して接続された複数の第２の接続端子とを備え，前記第１及び第２のカバーには，前記同軸ケーブルが挿通可能な挿通孔を設け，当該挿通孔に前記同軸ケーブルを挿通させ，上記軸体に前記同軸ケーブルを巻取り可能に及び上記軸体から引出し可能に当該軸体が周方向に回転自在となるよう，前記軸体と，前記第１のカバー及び第２のカバーとが，枢着されるよう構成されるので，同軸ケーブルが収納できコンパクトな大きさになるとともに，同軸ケーブルの長さがＴＶやＶＴＲ等の配置に合わせて最適に調整できるので，スッキリ配線できる。
【００１２】
請求項２の発明によれば，請求項１のアンテナ共同受信機器であって，前記軸体の外周位置に形成された同軸ケーブルの引出孔と引出孔の間には，前記同軸ケーブルを前記軸体に巻き取ったときの巻取り寸法と対応する外形寸法よりやや大きく形成された隔壁軸体が形成され，当該隔壁軸体は，隔壁軸体の側面間，前記第１の受面と隔壁軸体の側面間及び隔壁軸体の側面と前記第２の受面間の寸法が，前記軸体の軸線方向に，同軸ケーブルの外形よりやや広い間隔で設けたので，同軸ケーブルが収容される時に別々の空間に収容されることで巻取りが容易にできる。
【００１３】
請求項３の発明によれば，請求項１又は請求項２に記載のアンテナ共同受信機器であって，前記軸体の外周位置に形成された同軸ケーブルの引出孔と引出孔の間には，前記同軸ケーブルを前記軸体に巻き取ったときの巻取り寸法と対応する外形寸法よりやや大きく形成された隔壁軸体が形成され，前記第１の軸体の他端に設けられた第２の軸体は，前記同軸ケーブルを前記軸体に巻き取ったときの巻取り寸法と対応する外形寸法よりやや大きく形成され，前記隔壁軸体の側面間，前記第１の受面と隔壁軸体の側面間及び隔壁軸体の側面と前記第２の軸体の内面側間の寸法が，前記軸体の軸線方向に，同軸ケーブルの外形よりやや広い間隔で設けたので，第２の軸体に形成したツマミによって，同軸ケーブルの巻取りが容易にできる。
【００１４】
請求項４の発明によれば，請求項１乃至３の何れかに記載のアンテナ共同受信機器であって，前記出力端子を構成する同軸ケーブルの長さが，前記同軸ケーブルを前記軸体に巻き取ったときに，前記出力端子の先端部が，前記軸体に被せた第１及び第２のカバーに設けられた同軸ケーブルの挿通孔から，前記第１及び第２のカバーの内面側に入らない長さに形成されているので，同軸ケーブルを収納することで，ケースの外形寸法を小型化できるのでコンパクトな形状で出荷可能といった効果がある。また，ＴＶやＶＴＲ等の配置状態に合わせて，同軸ケーブルの長さを最適に調整できるので，ＴＶやＶＴＲ等の背面でスッキリした配線ができる。
【００１５】
請求項５の発明によれば，アンテナ共同受信機器において，第１の軸体と，当該軸体の一端に設けた第２の軸体と，第１のカバーと第２のカバーと，両端に第１の接続端子及び第２の接続端子を備えた同軸ケーブルと，からなり，前記第１のカバー及び前記第２のカバーは，前記第１の軸体の両端部に，上記軸体が回転自在となるように枢着すると共に，前記第２の軸体が前記第１のカバー若しくは前記第２のカバーから突出するように構成され，前記同軸ケーブルは，略中央部を前記第１の軸体に固着されると共に，接続端子側を前記第１のカバー若しくは前記第２のカバーの異なる位置に備えた２箇所の挿通孔とを遊挿させるか，略中央部を前記第１の軸体に固着されると共に，接続端子側を前記第１のカバーと前記第２のカバーの対向する位置に切欠した凹部から形成され，異なる位置に備えた２箇所の挿通口とを遊挿させるか，させて，上記軸体に前記同軸ケーブルを巻取り可能に及び上記軸体から引出し可能に構成したので，同軸ケーブルを収納することで，ケースの外形寸法を小型化できるのでコンパクトな形状で出荷可能といった効果がある。また，ＴＶやＶＴＲ等の配置状態に合わせて，同軸ケーブルの長さを最適に調整できるので，ＴＶやＶＴＲ等の背面でスッキリした配線ができる。
【００１６】
請求項６の発明によれば，請求項１乃至請求項４の何れかに記載のアンテナ共同受信機器は，前記第１の接続端子及び前記第２の接続端子は何れもＦ型コネクターであるこように構成されるので，一般的なテレビ共同受信用に最適である。
【発明を実施するための最良の形態】
【００１７】
以下に，本発明を具体化した実施形態の例を，図面を基に詳細に説明する。
図１は本発明のテレビ共同受信機器の実施例の一部断面を示す分解図である。図２（ａ）は図１に実施例において軸体に同軸ケーブルを巻いた状態を示す分解図であり，（ｂ）はＡ−Ａ線の断面外略図である。図３は第１の実施例の異なる例であり，同軸ケーブルを３本にした例である。図４，図５は本発明に係る第２の実施例である。図６は異なる実施例である。図７は本発明の斜視図であり，（ａ）は第１の接続端子側から見た概略斜視図，（ｂ）は第２の軸体の方向から見た概略斜視図である。図８は本発明における第２の接続端子の配置の例を示す。図９は本発明のテレビ共同受信機器を用いたテレビ受信システムの概略図である。
【実施例１】
【００１８】
図１，図２において本発明のテレビ共同受信機器１について説明する。２は本願の請求項に示す第１の軸体であり，内部には電子回路が組込まれている。本願の実施例においては，プリント配線板１５上に前記電子回路を組込んで前記第１の軸体２の内部に収納してある。
３は第１の接続端子であり，前記電子回路と外部との接続を行うための端子である。本願の実施例によればこの第１の接続端子はＦ型コネクタ座で構成されている。
４は第２の軸体であって，前記第１の軸体に一体的に成形されており，この第２の軸体の表面には例えばローレット上の凸凹手段が形成されており，指先の操作によってこれらの軸体の回転操作が簡単にできるように構成されている。
５ａ，５ｂは第１の軸体の外周面に形成された引出孔であり，第１の軸体の内部に収容された電子回路と外部とを接続するための，６，７に示す第２の接続端子を構成する同軸ケーブル６ａ，７ａを引き出すためのものである。
【００１９】
１１は一方を大きく開口させた，前記第１の軸体２を前記第１の接続端子３側から覆うための第１のカバーであり例えば合成樹脂材等で金型によって成形されている。この第１のカバー１１の略中央には突出孔１１ａが形成されており，当該突出孔１１ａに前記第１の接続端子３を回転自在に挿通させるようにして取付ける。前記第１の接続端子３の周縁であって，前記第１の軸体３の一端側には第１の受面２ａが形成されており，この受面２ａと前記カバー１１の内面側とは，軸体と第１のカバーとが回動可能なように当接させるか，やや距離をおいて配設されるように構成されている。また前記第１のカバー１１の側面には挿通孔１１ｂが形成されており，この挿通孔１１ｂは前記同軸ケーブル６ａを挿通するための孔である。
１２も第１のカバー１１と同様な構成からなり，一方を大きく開口させた，前記第１の軸体２を前記第２の軸体４側から覆うための第２のカバーであり，略中央に突出孔１２ａが形成されており，当該突出孔１２ａ前記第２の軸体４を回転自在に挿通させるようにして取付ける。前記第２の軸体４の周縁であって前記第１の軸体３の他端側には第２の受面２ｂが形成されており，この受面２ｂと前記第２のカバー１２の内面側とは，軸体と第１のカバーとが回動可能なように当接させるか，やや距離をおいて配設されるように構成されている。また前記第２のカバー１２の側面には挿通孔１２ｂが形成されており，この挿通孔１２ｂには前記同軸ケーブル７ａを挿通するための孔である。
【００２０】
このように構成された各部について更に詳しく説明する。第１のカバー１１と第２のカバー１２は夫々第１の軸体２に取付けられてから，第１のカバー１１と第２のカバー１２とは任意の係止手段によって組み付けられる。このときに同軸ケーブル６ａ，７ａは挿通孔１１ｂ，１２ｂに挿通するようにする。この方法としては，同軸ケーブルを挿通させてから接続端子（本発明の実施例の場合はＦ型プラグ）６ｂ，７ｂを取付加工するようにしても良いし，接続端子を取付加工した後に，同軸ケーブル６ａ，７ａを挿通孔１１ｂ，１２ｂさせてから引出孔５ａ，５ｂから電子回路に接続する方法でも良い。また，第１のカバー１１，第２のカバー１２の開口端部を切欠して当該切欠部と前記挿通孔１１ｂ，１２ｂとを連通させることによって，接続端子６，７を組み立てた後でも第１及び第２のカバー１１，１２を組み立て可能にすることができるようにしても良い。
【００２１】
このように第１のカバー１１と第２のカバー１２が組み付けられると，第１のカバー１１の突出孔１１ａから前記第１の接続端子が突出し，第２のカバー１２の突出孔１２ａから第２の軸体４が突出した状態になる。この状態において，前記第１の接続端子３と第１の軸体２と第２の軸体４の軸線が同じ軸線上に配設されると共に，相互に固着されているため，前記第２の軸体を回転操作すると，図２に示すように，前記同軸ケーブル６ａ，７ａが前記第１の軸体３の外周に巻き取られたり，引き出されたりすることができるのである。
第２の接続端子６，７の長さは，同軸ケーブル６ａ，７ａを巻き取って，第１及び第２のカバー１１，１２内面にいっぱいになったときに，Ｆ型コネクタ６ｂ，７ｂが前記挿通孔１１ｂ，１２ｂに当接しないような長さに設定しても良い。
【００２２】
尚，本発明の第１の軸体２は金属性材料等を成形したものでも良いし，導電性を有した合成樹脂材料を用いても良く，この場合シールド性能の良い装置が提供できる。またこの実施例に限定されるものでなく合成樹脂材料を用いて成形しても良いことは言うまでもない。また，本発明の実施例では第１の軸体２は円筒形状に形成されているが，多角形状にしても良い。
また，前記第１の軸体２が金属性材料等の導電性材料で成形されているのならば，第１の接続端子３は前記第１の軸体２と一体的に成形しても良いことは言うまでもない。この第１の接続端子３は，第１の軸体２に収納された電子回路と接続されて外部と接続するための所定長さの同軸ケーブルと，当該同軸ケーブルの端部に接続されたＦ型プラグとからなる接続端子として構成しても良い。
同様に，第２の軸体４も前記第１の軸体２と一体的に成形しても良いし，別体で成形しても良い。
更に，前記電子回路はプリント配線板１５上に組込まれている例を示したがプリント配線板を用いなくても良い。また，第１の軸体３が合成樹脂等でできている場合は，前記プリント配線板１５を金属性材料でできたシールドケース（図示されていない）に収納させても良い。この場合前記第１の接続端子３は前記シールドケースに固着させても良い。また，接続端子はオーディオ用のものでも良い。
【００２３】
本発明実施例に示すテレビ共同受信機器には第２の接続端子が２つ備えられた例を示したが，図３に示すように例えば３つの接続端子を備えさせても良く，実施例に限定されるものではない。
図７の（ａ）に第１の実施例の，第１の接続端子方向から見た斜視図を示す。（ｂ）には第２の軸体４，即ち操作ツマミ方向から見た斜視図を示す。
【実施例２】
【００２４】
次に第２の実施例について説明する。尚，以下の説明では，上記第１の実施形態のテレビ共同受信機器と同様の構成要素については同一符号を付与し，詳細な説明は省略する。
この実施例は図４，図５に示すように，第２の接続端子が２本の場合は，第１の軸体２に形成された引出孔２ａ，２ｂの間に，８に示す隔壁軸体を，第２の接続端子が３本の場合は，２ａ，２ｂと２ｂ，２ｃの間に，８，９に示す隔壁軸体を備えさせたものである。  図４について説明すれば，この隔壁軸体８は前記第１の軸体２の周面に前記同軸ケーブル６ａ，７ａを巻きつけた時に，同軸ケーブル同士が接触することなく，且つ第１及び第２のカバー１１，１２内により整列された状態での収納を容易とするものであり，これによって同軸ケーブル６ａは前記第１のカバー１１の内面と前記隔壁軸体８の側面との間に収納され，同軸ケーブル７ａは前記隔壁軸体の側面と前記第２のカバー１２の内面との間に収容される。従って，前記第１の受面２ａと前記隔壁軸体８の側面との間隔，前記隔壁軸体の側面と前記第２の受面２ｂとの間隔や，図５に示す隔壁軸体８の側面と隔壁軸体９側面との間隔は，同軸ケーブルの周径よりやや大きくなるように形成されている。
また，この隔壁軸体８，９の外周径は，第１の軸体２に同軸ケーブルを巻いた時の外形より大きく，前記第１及び第２のカバー１１，１２の内寸法より小さくなるように成形されており，例えば第１の軸体２と一体的に成形されている。
【００２５】
次に，更に異なる実施例について図６を用いて説明する。尚，この実施例についても同様の構成要素については同一符号を付与し，詳細な説明は省略する。この実施例は，前述の実施例における第２の軸体の周径を前記第１の軸体より大きく形成したものであり，図６において１０で示される第２の軸体の周縁には鍔部１０が成形されている。この鍔部１０の外側周縁には第２の受部１０ａが形成されており，この受部１０ａと前記第２のカバー１２の突設孔１２ａの周縁の内面側とが回転自在に当接若しくは多少の隙間を持って対抗させるように構成されている。
更にこの第２の軸体の表側には凹部１０ｂが形成されており，当該凹部１０ｂに指先等を添え付けて第２の軸体の回転操作を更に容易にしている。
図７の（ａ）にこの実施例の，第１の接続端子方向から見た斜視図を示す。（ｂ）には第２の軸体１０，即ち操作ツマミ方向から見た斜視図を示す。
【００２６】
このように構成されたテレビ共同受信機器の詳細について詳しく説明する。本願の実施例では，第１の接続端子２は入力端子であり，第２の接続端子６，７は出力端子である例について図８を基に説明する。
ＶＨＦアンテナ２１とＵＨＦアンテナ２２，衛星アンテナ２３によって受信された信号は，混合器２４又は増幅器等介して混合されて宅内に一本の同軸ケーブル２５で引き込まれる。引き込まれた信号は分配器２６等で分配された後にテレビ端子２７から出力される。  このテレビ端子２７には同軸ケーブル２８を介して本発明のテレビ共同受信機器１である分波器が接続されている。この分波器１は入力周波数が例えば１０〜２６００ＭＨｚであり，出力端子の一方からは１０〜７７０ＭＨｚが出力され，出力端子の他方からは１０３５〜２６００ＭＨｚが出力されており，一本の同軸ケーブル出引き込んだテレビ信号をＶＨＦ・ＵＨＦ帯の信号と衛星アンテナからの中間周波数帯の信号を分波することができるのである。こうして，ＶＨＦ・ＵＨＦ帯の信号はテレビ受像機３０に入力され，中間周波数帯の信号は，衛星チューナー等３１に入力されるのである。
【００２７】
尚，出力端子を３本にすれば，例えば夫々ＶＨＦ帯の出力端子，ＵＨＦ帯の出力端子（テレビ受像機接続用），ＵＨＦ帯の出力端子（地上ディジタル放送用のチューナー接続用）として使用することもできるし，第２の接続端子を入力端子として使い，第１の接続端子を出力端子として使ことで，混合器としても利用できる。更に分岐器としても利用でき実施例に限定されるものではない。
更に，本発明の実施例では，第２の接続端子が第１及び第２のカバーの側面に形成した挿通孔から同一方向に，引出し及び巻取り可能であるように構成したが，例えば図９に示すように，第２の接続端子が２本の場合，夫々１８０°反対方向となるように配置しても良いし，例えば第２の接続端子が３本の場合，夫々１２０度異なるように配置しても良いなど実施例に限定されるものではく，任意の位置に配設しても問題ない。
【００２８】
更に異なる実施例を説明する。この実施例においては，第１の接続端子は備えない例であり，このため第１の軸体内部には電子回路を収納する必要が無いものである。この例によれば，両端に接続端子を備えた同軸ケーブルの略中央部を前記第１の軸体に貫通若しくは任意の方法で固着させる。これによって前記第１の軸体に備えた第２の軸体を回転操作させることで，前記同軸ケーブルは前記第１の軸体に巻き取られたり，引き出されたりすることができるものである。
【００２９】
このように，実施例に示す分波器のように，本発明のテレビ共同受信機器１によれば，テレビ端子からの信号を分波するためにテレビ受像機や衛星チューナーの背後に設置する場合においても，ＴＶやＶＴＲ等の配置状態に合わせて，同軸ケーブルの長さを最適に調整でき，ＴＶやＶＴＲ等の背面でスッキリした配線ができるのである。また，同軸ケーブルを収納することができ，ケースの外形寸法を小型化できる。また出荷の状態でコンパクトな形状となり，輸送コストが安くなるといった優位性を持ったテレビ共同受信機器を提供できるのである。
【００３０】
尚，本発明は上記実施の形態に限定されるものではなく，本発明の趣旨を逸脱しない範囲で各部の構成を適宜に変更して実施することも可能である。
【図面の簡単な説明】
【００３１】
【図１】本発明のテレビ共同受信機器の実施例の一部断面を示す分解図である。
【図２】（ａ）は図１に実施例において軸体に同軸ケーブルを巻いた状態を示す分解図であり，（ｂ）はＡ−Ａ線の断面外略図である。
【図３】他の実施例であり，同軸ケーブルを３本にした例である。
【図４】本発明に係る第２の実施例である。
【図５】本発明に係る第２の実施例である。
【図６】異なる実施例である。
【図７】本発明の斜視図であり，（ａ）は第１の接続端子側から見た概略斜視図，（ｂ）は第２の軸体の方向から見た概略斜視図である。
【図８】本発明における第２の接続端子の引出し方法を示す図である。
【図９】本発明のテレビ共同受信機器を用いテレビ受信システムの概略図を示す。
【符号の説明】
【００３２】
１…テレビ共同受信機器，２…第１の軸体，２ａ…第１の受部，２ｂ…第２の受部，３…第１の接続端子，４…第２の軸体，５，５ａ，５ｂ，５ｃ…引出孔，６，７…第２の接続端子，６ａ，７ａ…同軸ケーブル，６ｂ，７ｂ…Ｆ型コネクタ，８，９…隔離軸体，１０…第２の軸体，１０…鍔部，１０ａ…第２の受部，１１…第１のかバー，１２…第２のカバー，１１ａ，１２ａ…突出孔，１１ｂ，１２ｂ…挿通孔，２１…ＶＨＦアンテナ，２２…ＵＨＦアンテナ，２３…衛星アンテナ，２４…混合器，２５…同軸ケーブル，２６…分配器，２７…テレビ端子，３０…テレビ受像機，３１…衛星チューナー
【図１】
2005286389.tif 000003
【図２】
2005286389.tif 000004
【図３】
2005286389.tif 000005
【図４】
2005286389.tif 000006
【図５】
2005286389.tif 000007
【図６】
2005286389.tif 000008
【図７】
2005286389.tif 000009
【図８】
2005286389.tif 000010
【図９】
2005286389.tif 000011